(57)【特許請求の範囲】
【請求項１】
断面略半円形状であり、分割位置に対して対称に構成されている二つの分割片（１１１，１１２）を互いに向かい合わせて組み付けてなる柱用外装化粧板材の組付構造において、
上記二つの分割片は、二つの分割片が互いに向かい合う方向に対してほぼ直交する方向に相対移動することによって互いに嵌合可能に構成された嵌合部（１１１１，１１１２および１１２１，１１２２）と、
前記一方の分割片の一方の嵌合部に前記柱が固定され、
前記分割片の内側面の前記嵌合部の間に設けられた脚部により、前記一方の分割片に固定された柱が前記二つの分割片が互いに向かい合う方向に位置ずれすることが規制されることを特徴とする柱用外装化粧板材の組付構造。
【発明の詳細な説明】
【０００１】
【発明の属する技術分野】
本発明は、一般住宅建築等において例えば玄関ポーチ柱に用いられる柱用外装化粧板材の組付構造に関する。
【０００２】
【従来の技術・発明が解決しようとする課題】
一般に、上述のような柱用外装化粧板材は、下地躯体となる例えばＨ型鋼や角型鋼の周囲に丸柱や角柱となる各種デザインの施された合成樹脂製または窯業系材料よりなる化粧板材の分割片が組み付けられて固定されている。そのような分割片の組付構造として、特開平７−２２４５１１号公報に開示されたものが知られている。該公報では角柱を例示しているが、図４に該公報の組付構造と同じものを丸柱に適用した例を示している。
【０００３】
上述の従来技術では、図４に示すように、二つの分割片４１，４２がそれぞれ同じ断面形状を有する部材であり、下地躯体の角型鋼４３を挟み付ける方向に双方の分割片４１，４２が突き合わせられ、その両端で互いが嵌合することによって組み付けられる。このように、双方のパーツが互いに向かい合っている方向へ移動して突き合わされるかたちでの組み付け方は、両端での嵌合が均等になされなければ断面形状が正確な円にならず、互いの向かい合っている方向が一直線上で一致していなければ、いずれか一方の継ぎ目部分で浮きが生じて歪な円形断面の丸柱となってしまう。この組み付け作業において、二つの分割片４１，４２を正確に対称となるように突き合わせることが意外と難しく、このような組付構造は往々にして歪みの出やすい構造であった。また、外観性の点からすれば、二つの分割片の突き合わせ部の隙間の均一性が重要であり、隙間の均一性を保持できる組付構造が求められていた。
【０００４】
本発明は上述のごとき従来の技術的課題に鑑み、これを有効に解決すべく創案されたものである。したがって本発明の目的は、二つの分割片が簡単にしかも正確に組み付けられる柱用外装化粧板材の組付構造を提供することにある。
【０００５】
【課題を解決するための手段】
本発明に係る柱用外装化粧板材の組付構造は、上述のごとき従来技術の課題を解決し、その目的を達成するために以下のような構成を備えている。即ち、断面略半円形状であり、分割位置に対して対称に構成されている二つの分割片を互いに向かい合わせて組み付けてなる柱用外装化粧板材の組付構造において、
上記二つの分割片は、二つの分割片が互いに向かい合う方向に対してほぼ直交する方向に相対移動することによって互いに嵌合可能に構成された嵌合部（１１１１，１１１２および１１２１，１１２２）と、
前記一方の分割片の一方の嵌合部に前記柱が固定され、
前記分割片の内側面の前記嵌合部の間に設けられた脚部により、前記一方の分割片に固定された柱が前記二つの分割片が互いに向かい合う方向に位置ずれすることが規制される。
【０００６】
【発明の実施形態】
図１および図２に本発明に係る柱用外装化粧板材の組付構造を示す。図１は組付前の状態を、図２は組付後の状態をそれぞれ示している。柱の中心に角パイプ１０が下地躯体として設けられており、その周りを覆って丸形の外装化粧板材１１が組み付けられる。外装化粧板材１１は、互いに組み付け可能なように二つ割りにされており、それぞれの分割片１１１，１１２は断面が図１または図２に示すような形状で互いに同一形状にされている。これら分割片１１１，１１２の両端部は互いに嵌合する凹凸形状ではあるが、組み付けに際して互いが移動する方向は、互いが向かい合っている方向に対してほぼ直交する方向である。なお、分割片の両端部の嵌合方式については任意であり、図１および図２のような凹凸形状方式でもよく、あるいは従来技術のような抜け防止の段差を有するものであってもよい。
【０００７】
角パイプ１０への取付構造としては、角パイプ１０の一側面にビス止めされた桟木１２に対して一方の第１分割片１１１の凹状端部１１１１がさらにビス止めされており、この第１分割片１１１に対してもう一方の第２分割片１１２が、図１の矢印Ａの方向にスライドするように移動して組み付けられる。第１分割片１１１の凹状端部１１１１に対して第２分割片１１２の凸状端部１１２２が、第１分割片１１１の凸状端部１１１２に対して第２分割片１１２の凹状端部１１２１がそれぞれ嵌合する。第２分割片１１２が第１分割片１１１に対してスライドするとき、それぞれの凹状端部と凸状端部とが第２分割片１１２を案内するので、互いの分割片の相対的な移動は常に一定しており、この組付作業は誰が行っても正しく且つ簡単に双方を嵌合させて組み付けられる。また、二つの分割片の接続部における隙間を均一にすることができる。
【０００８】
それぞれの分割片の中央には、内方へ向かって脚部１１１３，１１２３が突出形成されており、その先端部は角パイプ１０の端面近傍でそれら端面に平行に延びる屈曲部１１１４，１１２４を形成している。第２分割片１１２の屈曲部１１２４に対応してこれを保持するようにクリップ金具１３が角パイプ１０に取付られており、第２分割片１１２がスライド移動することによって屈曲部１１２４がクリップ金具１３に保持される。これら脚部および屈曲部は、化板材１１に加えられるその方向の外力を支えることができる。
【０００９】
図３は、この屈曲部とクリップ金具の別の実施形態を示す図である。この例では、屈曲部１１２５とクリップ金具１３１とが互いに係合し合う箇所で双方に引っ掛かり部が形成されており、屈曲部１１２５とクリップ金具１３１とが一旦係合すると抜けなくなっている。なお、これらクリップ金具１３，１３１は、それぞれの分割片１１１，１１２の組付状態における角パイプ１０との取付強度を向上させるものであるが、脚部１１１３，１１２３自体が上述のような化粧板材１１に加えられる外力を支える機能を有しているので、クリップ金具がなくても十分な取付強度は得られる。
【００１０】
【発明の効果】
本発明に係る柱用外装化粧板材の組付構造では、二つの分割片の両端部を嵌合させるに際して、互いに向かい合う方向に対してほぼ直交する方向に互いを相対移動させるので両端部での嵌合が均等になり、組み付けられた状態で全体の形状としては殆ど歪が出ない。したがって、作業者の熟練度に関係なく簡単に美しい仕上がりが得られる。
【図面の簡単な説明】
【図１】  本発明に係る柱用外装化粧板材の組付構造を組付前の状態で示す断面図である。
【図２】  本発明に係る柱用外装化粧板材の組付構造を組付後の状態で示す断面図である。
【図３】  本発明に係る柱用外装化粧板材の組付構造における屈曲部とクリップ金具の別の実施形態を示す要部拡大図である。
【図４】  従来技術による柱用外装化粧板材の組付構造を示す断面図である。
【符号の説明】
１０  角パイプ
１１  外装化粧板材
１１１  第１分割片
１１１１  凹状端部
１１１２  凸状端部
１１１３  脚部
１１１４  屈曲部
１１２  第２分割片
１１２１  凹状端部
１１２２  凸状端部
１１２３  脚部
１１２４  屈曲部
１１２５  屈曲部
１２  桟木
１３  クリップ金具
１３１  クリップ金具
【図１】
0003896198.tif 000002
【図２】
0003896198.tif 000003
【図３】
0003896198.tif 000004
【図４】
0003896198.tif 000005